(57)【要約】      （修正有）【課題】所望の場所、例えば、自動車の車内においては、運転者が前方を見ながら手の届く箇所で、かつ、目を向けることのできる場所に、落下させることなく立てておくことができ、かつ容易に取り出すことのできる光ディスクスタンドを提供する。【解決手段】所望の場所に固定され、光ディスクを収納するディスクケースＣを立てるものであって、少なくとも一枚のディスクケースＣを収納する大きさで、底壁１２から前壁１３、後壁１４、左壁１５および右壁１６を立設したケース本体１１と、底壁１２の下面に貼着された両面接着テープ４０とを備える。前壁１３、後壁１４、左壁１５および右壁１６の高さを、ディスクケースＣの高さより低く設定する。【選択図】図３
0003152337.tif 000002
【実用新案登録請求の範囲】
【請求項１】
所望の場所に固定され、光ディスクを収納するディスクケース（Ｃ）を立てる光ディスクスタンドであって、
少なくとも一枚のディスクケースを収納する大きさで、底壁（１２）から前壁（１３）、後壁（１４）、左壁（１５）および右壁（１６）を立設したケース本体（１１）と、
前記底壁の下面に貼着された両面接着テープ（４０）とを備え、
前記前壁、後壁、左壁および右壁の高さを、前記ディスクケースの高さより低く設定したことを特徴とする光ディスクスタンド。
【請求項２】
所望の場所に固定され、光ディスクを収納するディスクケース（Ｃ）を立てる光ディスクスタンドであって、
少なくとも一枚のディスクケースを収納する大きさで、底壁（１２）から後壁（１４）、左壁（１５）および右壁（１６）を立設し、
前記底壁の下面に貼着された両面接着テープ（４０）とを備え、
前記後壁、左壁および右壁の高さを、前記ディスクケースの高さより低く設定し、前壁（１３）両端に後向に設けた左右の腕部（７５，７６）を左右壁（１５，１６）に設けたガイド溝（６７，６７）にスライド可能に嵌め、左右腕部（７５，７６）の掛止ピン（７７，７７）をガイド溝（６７）の前掛孔（６７ａ）又は後掛止孔（６７ｂ）のいずれかに掛止したことを特徴とする光ディスクスタンド。
【請求項３】
所望の場所に固定され、光ディスクを収納するディスクケース（Ｃ）を立てる光ディスクスタンドであって、
少なくとも一枚のディスクケースを収納する大きさで、底壁（１２）から前壁（１３）、後壁（１４）、左壁（１５）および右壁（１６）を立設し、前記前壁、後壁、左壁および右壁の高さを、前記ディスクケースの高さより低く設定したケース本体（１１）の前記左壁の直下に左片（１７）を垂下設すると共に、前記右壁の直下に右片（１８）を垂下設した可動体（１０）と、
前記ケース本体の底壁と略等しい長さを有する奥板材（３１）の左側端部から、側面が前記左片（１７）の側面に接触する左板材（３２）を立設すると共に、右側端部から、側面が前記右片の側面に接触する右板材（３３）を立設し、前記奥板材の下面に両面接着テープ（４０）を貼着したベース体（３０）と、備え、
前記ベース体の左板材および右板材の中央部分のそれぞれに第一凹凸部（３４）を設けると共に、前記可動体の左片および右片のそれぞれに前記第一凹凸部に回転自在に嵌合する第二凹凸部（１９）を設け、
前記ベース体の左板材および右板材のそれぞれに一つまたは複数の第一係合部（３５）を設けると共に、前記可動体の左片および右片のそれぞれに前記第一係合部に係合する一つまたは複数の第二係合部（２０）を設けたことを特徴とする光ディスクスタンド。
【請求項４】
自動車のダッシュボード（Ｄ）に両面接着テープ（４０）で固定することを特徴とする請求項１乃至３に記載の光ディスクスタンド。
【請求項５】
所望の場所に固定され、光ディスクを収納するディスクケース（Ｃ）を立てる光ディスクスタンドであって、
少なくとも一枚のディスクケースを収納する大きさで、底壁（１２）から前壁（１３）、後壁（１４）、左壁（１５）および右壁（１６）を立設し、前記前壁、後壁、左壁および右壁の高さを、前記ディスクケースの高さより低く設定したケース本体（１１）と、
前記ケース本体の底壁と略等しい長さを有する奥板材（３１）の左側端部から、側面が前記左壁の側面に接触する左板材（３２）を垂下設すると共に、右側端部から、側面が前記右壁の側面に接触する右板材（３３）を垂下設し、前記奥板材に、取付部に巻回する面ファスナー（４１）を取付けたベース体（３０）と、備え、
前記ベース体の左板材および右板材の中央部分のそれぞれに第一凹凸部（３４）を設けると共に、前記ケース本体の左壁および右壁のそれぞれに前記第一凹凸部に回転自在に嵌合する第二凹凸部（１９）を設けたことを特徴とする光ディスクスタンド。
【請求項６】
ベース体（３０）の左板材（３２）および右板材（３３）のそれぞれに一つまたは複数の第一係合部（３５）を設けると共に、前記ケース本体の左片（１７）および右片（１８）のそれぞれに前記第一係合部に係合する一つまたは複数の第二係合部（２０）を設けたことを特徴とする請求項５に記載の光ディスクスタンド。
【請求項７】
取付部が、自動車のサンバイザー（Ｓ）であることを特徴とする請求項５または６に記載の光ディスクスタンド。
【考案の詳細な説明】
【技術分野】
【０００１】
本考案は、主として自動車に搭載して、ＣＤ、ＤＶＤあるいはＢＤ（ブルーレイディスク）等の光ディスクを収納したディスクケースを立てておくことのできる光ディスクスタンドに関するものである。
【背景技術】
【０００２】
近年、例えば、自動車の車内でＣＤ、ＤＶＤあるいはＢＤ等の光ディスクを、聴いたり観たりして楽しむ機会が多くなっているが、これらの光ディスクを収納するディスクケースは、通常、運転席と助手席との間のスペースや、助手席前のグローブボックス、あるいは助手席や後部席に置くことが多い。
【考案の概要】
【考案が解決しようとする課題】
【０００３】
しかし、ディスクケースは、運転者が前方を向いたままの状態で手の届く箇所に置くことが、安全運転を行う点から最も好ましい。また、例えば、光ディスクをディスクケースから取り出してプレーヤーで再生している際に、同乗者が再生している曲の奏者や曲名を運転者に尋ねた場合、それらを記載しているディスクケースは運転席と助手席との間のスペースなど、運転者が運転しながら確認することができない場所に置いてあると、即座に答えることができない。また、無理にディスクケースに目を向けると運転に支障を来してしまうので危険である。
【０００４】
さらに、例えば、ディスクケースを運転席と助手席との間のスペースや、助手席あるいは後部席に置いた場合には、そこから落下して紛失してしまう可能性がある。またさらに、グローブボックスに収納した場合は、その取り出しや収納が厄介であるといった問題もある。
【０００５】
本考案はこうした問題に鑑み創案されたもので、所望の場所、例えば、自動車の車内においては、運転者が前方を見ながら手の届く箇所で、かつ、目を向けることのできる場所に、落下させることなく立てておくことができ、かつ容易に取り出すことのできる光ディスクスタンドを提供することを課題とする。
【課題を解決するための手段】
【０００６】
図１乃至図１１を参考にして説明する。請求項１に記載の光ディスクスタンド１は、所望の場所に固定され、光ディスクを収納するディスクケースＣを立てるものであって、少なくとも一枚のディスクケースＣを収納する大きさで、底壁１２から前壁１３、後壁１４、左壁１５および右壁１６を立設したケース本体１１と、前記底壁１２の下面に貼着された両面接着テープ４０とを備える。そして、前記前壁１３、後壁１４、左壁１５および右壁１６の高さを、前記ディスクケースＣの高さより低く設定した。
【０００７】
図１，図１２乃至図１４を参考にして説明する。請求項２に記載の光ディスクスタンド１は、所望の場所に固定され、光ディスクを収納するディスクケースＣを立てるものであって、少なくとも一枚のディスクケースＣを収納する大きさで、底壁１２、後壁１４、左壁１５および右壁１６を立設したケース本体１１と、前記底壁１２の下面に貼着された両面接着テープ４０とを備える。そして、前記前壁１３、後壁１４、左壁１５および右壁１６の高さを、前記ディスクケースＣの高さより低く設定した。また、前壁１３両端に後向に設けた左右の腕部７５，７６を左右壁１５，１６に設けたガイド溝６７，６７にスライド可能に嵌め、左右腕部７５，７６の掛止ピン７７，７７をガイド溝６７の前掛孔６７ａ又は後掛止孔６７ｂのいずれかに掛止可能にしたものである。
【０００８】
図１，図１５乃至図１７を参考にして説明する。請求項３に記載の光ディスクスタンド１は、所望の場所に固定され、光ディスクを収納するディスクケースＣを立てるものであって、少なくとも一枚のディスクケースＣを収納する大きさで、底壁１２から前壁１３、後壁１４、左壁１５および右壁１６を立設し、前記前壁１３、後壁１４、左壁１５および右壁１６の高さを、前記ディスクケースＣの高さより低く設定したケース本体１１の前記左壁１５の直下に左片１７を垂下設すると共に、前記右壁１６の直下に右片１８を垂下設した可動体１０を備える。
【０００９】
また、前記ケース本体１１の底壁１２と略等しい長さを有する奥板材３１の左側端部から、側面が前記左片１７の側面に接触する左板材３２を立設すると共に、右側端部から、側面が前記右片１８の側面に接触する右板材３３を立設し、前記奥板材３１の下面に両面接着テープ４０を貼着したベース体３０を備える。
【００１０】
また、前記ベース体３０の左板材３２および右板材３３の中央部分のそれぞれに第一凹凸部３４を設けると共に、前記可動体１０の左片１７および右片１８のそれぞれに前記第一凹凸部３４に回転自在に嵌合する第二凹凸部１９を設ける。
【００１１】
さらに、前記ベース体３０の左板材３２および右板材３３のそれぞれに一つまたは複数の第一係合部３５を設けると共に、前記可動体１０の左片１７および右片１８のそれぞれに前記第一係合部３５に係合する一つまたは複数の第二係合部２０を設けた。
【００１２】
請求項４に記載の光ディスクスタンド１は、請求項１乃至３のいずれかに記載の考案において、それを自動車のダッシュボードＤに両面接着テープ４０で固定するものである。
【００１３】
図１，図１８〜図２０を参考にして説明する。請求項５に記載の光ディスクスタンド１は、所望の場所に固定され、光ディスクを収納するディスクケースＣを立てるものであって、少なくとも一枚のディスクケースＣを収納する大きさで、底壁１２から前壁１３、後壁１４、左壁１５および右壁１６を立設し、前記前壁１３、後壁１４、左壁１５および右壁１６の高さを、前記ディスクケースＣの高さより低く設定したケース本体１１を備える。
【００１４】
また、前記ケース本体１１の底壁１２と略等しい長さを有する奥板材３１の左側端部から、側面が前記左壁１５の側面に接触する左板材３２を垂下設すると共に、右側端部から、側面が前記右壁１６の側面に接触する右板材３３を垂下設し、前記奥板材３１に、取付部に巻回する面ファスナー４１を取付けたベース体３０とを備える。
【００１５】
そして、前記ベース体３０の左板材３２および右板材３３の中央部分のそれぞれに第一凹凸部３４を設けると共に、前記ケース本体１１の左壁１５および右壁１６のそれぞれに前記第一凹凸部３４に回転自在に嵌合する第二凹凸部１９を設けた。
【００１６】
請求項６に記載の光ディスクスタンド１は、請求項５に記載の考案において、ベース体３０の左板材３２および右板材３３のそれぞれに一つまたは複数の第一係合部３５を設けると共に、前記ケース本体１１の左片１７および右片１８のそれぞれに前記第一係合部３５に係合する一つまたは複数の第二係合部２０を設けた。
【００１７】
請求項７に記載の光ディスクスタンド１は、請求項５または６に記載の考案において、取付部が、自動車のサンバイザーＳである。
【考案の効果】
【００１８】
請求項１に記載の光ディスクスタンドは、所望の場所に両面接着テープ４０によって固定することができるので、例えば、自動車の運転席前のダッシュボードＤに固定することで、運転者が前方を見ながら手を伸ばしてディスクケースＣを取出したり、収納することができる。また、運転しながらでも容易に目を向けることができる。従って、安全運転の妨げにならない。
【００１９】
なお、ディスクケースＣは、この光ディスクスタンドに立てた状態で収納しているので、その取出しおよび収納をきわめて容易に行うことができる。さらに、この光ディスクスタンド１は、底壁１２、前壁１３、後壁１４、左壁１５および右壁１６から形成されるので、ディスクケースＣを落下させることなく安定姿勢で立てておくことができる。
【００２０】
請求項２に記載の光ディスクスタンドは、前壁１３を前後に移動させることによりＣＤ１枚タイプのディスクケースに対しても、２枚タイプのディスクケースに対しても対応することが出来る。
【００２１】
請求項３に記載の光ディスクスタンドは、請求項１に記載の考案と同様に、例えば、自動車の車内であれば、運転者が前方を見て運転しながらでも容易にディスクケースＣを取り出したり、収納したり、あるいは、目を向けることができる。また、ディスクケースＣを安定姿勢で立てることができると共に、容易に取り出しおよび収納することができる。
【００２２】
また、この光ディスクスタンドは、第一凹凸部３４および第二凹凸部１９を回転自在に嵌合するように設けたので、可動体１０を自在に回動することができ、さらに、第一係合部３５および第二係合部２０を設けたので、これらの係合によって可動体１０の傾斜姿勢を選択することができる。これにより、ディスクケースＣの視認や取り出し等をさらに容易に行うことができる。
【００２３】
請求項４に記載の光ディスクスタンドは、請求項１，２または３に記載の考案と同様の効果を発揮する。また、自動車のダッシュボードＤに両面接着テープ４０で固定するので、例えば、運転席の近傍に固定することで運転者は運転しながらでも容易にディスクケースＣを視認等することができる。また、ディスクケースＣの取り出しや収納を容易に行うことができる。
【００２４】
請求項５に記載の光ディスクスタンドも、運転席近傍の取付部に面ファスナー４１で固定することによって、運転者が前方を見ながら運転しながらでも容易に取り出しおよび収納を行うことができ、さらには視認することができる。また、ディスクケースＣを落下させることなく安定姿勢で立てることができる。さらに、ディスクケースＣを安定姿勢で立てておくことができる。なお、面ファスナー４１で固定するので、固定場所を容易に変更することができる。
【００２５】
また、第一凹凸部３４および第二凹凸部１９を回転自在に嵌合するように設けたので、ディスクケースＣを立てる際、および取り出す際にケース本体１１を回動させることができる。従って、ディスクケースＣの収納および取り出しを、より容易に行うことができる。
【００２６】
請求項６に記載の光ディスクスタンドは、請求項５に記載の考案と同様の効果を発揮する。また、第一係合部３５および第二係合部２０を設けたので、両者を係合させることによってケース本体１１の姿勢を固定することができる。これにより、例えば運転者に合った傾斜姿勢とすることで、ディスクケースＣの収納および取り出しを、さらに容易なものとすることができる。
【００２７】
請求項７に記載の光ディスクスタンドは、請求項５および６に記載の考案と同様の効果を発揮する。また、取付部が自動車のサンバイザーＳであるので、運転者は目前にこの光ディスクスタンド１を配置させることができ、ディスクケースＣに容易に取り出し、収納し、さらには視認することができる。
【図面の簡単な説明】
【００２８】
【図１】本考案に係る光ディスクスタンドの組付け状態を示す側面図である。
【図２】本考案に係る光ディスクスタンドの第一実施形態の第一例を示す平面図である。
【図３】図２に示す光ディスクスタンドの正面図である。
【図４】図２に示す光ディスクスタンドの側面図である。
【図５】図２乃至４に示す第一実施形態の一部の変形態様を示す正面図である。
【図６】図２乃至４に示す第一実施形態の他部の変形態様を示す斜視図である。
【図７】本考案に係る光ディスクスタンドの第一実施形態の第二例を示す平面図である。
【図８】図７に示す光ディスクスタンドの正面図である。
【図９】図７に示す光ディスクスタンドの側面図である。
【図１０】図２乃至図４に示す第一実施形態の第三例を示す側面図である。
【図１１】図１０の正面図である。
【図１２】本考案に係る光ディスクスタンドの第二実施形態を示す一部切欠正面図である。
【図１３】図１２に示す光ディスクスタンドでＣＤ１枚タイプのディスクケースを収納するときの一部切欠側面図である。
【図１４】図１２に示す光ディスクスタンドでＣＤ２枚タイプのディスクケースを収納するときの一部切欠側面図である。
【図１５】本考案に係る光ディスクスタンドの第三実施形態を示す分解正面図である。
【図１６】図１５に示す光ディスクスタンドの側面図である。
【図１７】図１６に示す光ディスクスタンドの組付け状態を示す側面図である。
【図１８】本考案に係る光ディスクスタンドの第四実施形態を示す分解正面図である。
【図１９】図１８に示す光ディスクスタンドの側面図である。
【図２０】図１８に示す光ディスクスタンドの組付け状態を示す側面図である。
【考案を実施するための形態】
【００２９】
本考案に係る光ディスクスタンド１の第一実施形態の第一例を、図１乃至図４に示す。これは、自動車の車内において運転席前のダッシュボードＤに固定され、光ディスクを収納するディスクケースＣを立てるものであり、ケース本体１１と、両面接着テープ４０とで構成される。この光ディスクスタンド１の成形材料は限定されず、例えば、樹脂や金属で形成することができる。なお、図１における符号Ｈは自動車のハンドルである。
【００３０】
ケース本体１１は、一枚のディスクケースＣを収納する大きさで、ディスクケースＣの底面よりやや大きい平面長方形状の底壁１２から前壁１３、後壁１４、左壁１５および右壁１６を立設した有底短筒形状である。両面接着テープ４０は底壁１２の下面に貼着され、これによってケース本体１１をダッシュボードＤに固定する。また、ケース本体１１の前壁１３、後壁１４、左壁１５および右壁１６の高さを、ディスクケースＣの高さより大幅に低く設定している。本実施形態では、ディスクケースＣの下端部分のみを収納する程度に設定しているが、これに限定されない。
【００３１】
本実施形態では、前後幅を約１５ｍｍ、左右幅を約１５０ｍｍ、高さを約２０ｍｍ（ディスクケースの高さは約１２０ｍｍ）に設定している。なお、これらの寸法は限定されるものではなく、ディスクケースＣの大きさや、立てるディスクケースＣの数などに応じて適宜設定することができる。
【００３２】
本実施形態に係る光ディスクスタンド１は、自動車の運転席前のダッシュボードＤに固定しているので、運転者が前方を見て運転しながらでも容易にディスクケースＣの取り出しや収納を行うことができる。また、目を向けることもできる。また、この光ディスクスタンド１は、底壁１２、前壁１３、後壁１４、左壁１５および右壁１６から形成されているので、ディスクケースＣを落下させることなく安定姿勢で立てることができる。
【００３３】
なお、ケース本体１１は、その全体を透明とすることや、前壁１３のみを透明とし、他を半透明または不透明な色付きとすることもできる。前壁１３を透明とすることで、前壁１３を透してディスクケースＣの文字やデザインを読みとることができるので、例えば、同乗者に、この光ディスクから流れる音楽に関する情報を、正確に伝えることができる。
【００３４】
なお、図５に示すように、ダッシュボードＤに両面テープ４０を介して面ファスナー４１の一方を取付け、ケース本体１１の下面に面ファスナー４１の他方を固着することによって、ケース本体１１を着脱自在に固定することもできる。
【００３５】
また、図６に示すように、ケース本体１１の後壁１４から逆Ｌ字状の板バネ４２を立設し、自動車の揺れによってディスクケースＣが飛び出さないようにすることもできる。この板バネ４２は、図５の矢印で示すように前後に弾性変形するので、ディスクケースＣの取り出しや収納に支障を来すことはない。
【００３６】
本考案に係る光ディスクスタンド１の第一実施形態の第二例を、図７乃至図９に示す。この光ディスクスタンド１の特徴は、前壁１３と後壁１４の上端面を円弧状とし、かつ、前壁１３の高さを後壁１４のそれより低く形成したことである。また、これに対応して、左壁１５と右壁１６の上端面を傾斜状としたことである。こうした構成とすることで、意匠性を高めている。
【００３７】
図１，図１０及び図１１は第一実施形態の第三例を示す側面図で、底壁１２に後向き張出部５０を設け、前壁１３及び後壁１４を後に若干傾けたもので、目視したときディスクケースＣを正面から見ることが出来る。図１０に一点鎖線Ｔで示す如く底壁１２を底壁上部５１と底壁下部５２の２つに分別して接着剤で接着すれば、ケース本体１０を第一実施形態の第一例または第二例のものと共通化することが出来る。
【００３８】
図１２乃至図１４は第二実施形態を示すもので、底壁１２，後壁１４，左壁１５，右壁１６から成る基枠６０の左右壁１５，１６の外面に前後方向のガイド溝６７，６７を設け、前壁１３と左右腕部７５，７６と前壁後面下端の水平補助底７２から成るところの移動体７０の左右腕部７５，７６を前記ガイド溝６７，６７に嵌め、且つ両腕部７５，７６に対向させて設置した掛止ピン７７を両ガイド溝６７、６７の前後方向に設けた２個の掛止孔６７ａ，６７ｂのいずれかに任意に掛止させるようにしてケース本体１１を構成したもので、ＣＤ１枚タイプのディスクケースＣのときには移動体７０を押込んで図１３に示す如く掛止ピン７７を後掛止孔６７ｂに掛止させ、またＣＤ２枚タイプのケースＣのときは図１４に示す如く移動体７０を引張り出して掛止ピン７７と前掛止孔６７ａに掛止させるものである。
【００３９】
本考案に係る光ディスクスタンド１の第三実施形態を、図１，図１５乃至図１７に示す。この光ディスクスタンド１は、自動車の運転席前のダッシュボードＤに、両面接着テープ４０によって固定されるものであり、可動体１０およびベース体３０を備える。
【００４０】
可動体１０は、一枚のディスクケースＣを収納する大きさで、平面長方形状の底壁１２から前壁１３、後壁１４、左壁１５および右壁１６を立設して構成し、また、前壁１３、後壁１４、左壁１５および右壁１６の高さを、ディスクケースＣの高さより大幅に低く設定したケース本体１１を備える。そして、このケース本体１１の左壁１５の直下に左片１７を垂下設すると共に、右壁１６の直下に右片１８を垂下設して構成している。
【００４１】
ベース体３０は、ケース本体１１の底壁１２とほぼ等しい長さを有する奥板材３１の左側端部から、側面が可動体１０の左片１７の側面に接触する左板材３２を立設すると共に、右側端部から、側面が可動体１０の右片１８の側面に接触する右板材３３を立設して構成している。また、奥板材３１の下面に両面接着テープ４０を貼着している。
【００４２】
そして、ベース体３０の左板材３２および右板材３３の中央部分のそれぞれに第一凹凸部（凸部）３４を設けると共に、可動体１０の左片１７および右片１８のそれぞれに第一凹凸部３４に回転自在に嵌合する第二凹凸部（凹部）１９を設けている。
【００４３】
また、ベース体３０の左板材３２および右板材３３のそれぞれに第一係合部３５を一つ設けると共に、可動体１０の左片１７および右片１８のそれぞれに第一係合部３５に回転自在に嵌合する二つの第二係合部２０を設けている。なお、第一係合部３５および第二係合部２０の数は、これらに限定されるものではない。
【００４４】
本第三実施形態に係る光ディスクスタンド１は、第一実施形態と同様に、運転者が運転しながらでも容易にディスクケースＣの取り出し等を行うことができる。また、ディスクケースＣを安定姿勢で立てることができる。
【００４５】
また、第一凹凸部３４および第二凹凸部１９を回転自在に嵌合するように設けているので、可動体１０を自在に回動することができ、さらに、第一係合部３５および第二係合部２０を設けているので、これらの係合によって可動体１０の傾斜姿勢を選択することができる。これによって、ディスクスケースの視認や取り出し等を、運転者に合わせてさらに容易に設定することができる。
【００４６】
本考案に係る光ディスクスタンド１の第四実施形態を、図１８乃至図２０に示す。これは、自動車の運転席の前に設けられているサンバイザーＳに、面ファスナー４１を巻回して固定するものであり、ケース本体１１とベース体３０を備える。
【００４７】
ケース本体１１は、一枚のディスクケースＣを収納する大きさで、平面長方形状の底壁１２から前壁１３、後壁１４、左壁１５および右壁１６を立設し、前壁１３、後壁１４、左壁１５および右壁１６の高さを、ディスクケースＣの高さより低く設定して構成している。
【００４８】
また、ベース体３０は、ケース本体１１の底壁１２とほぼ等しい長さを有する奥板材３１の左側端部から、側面が左壁１５の側面に接触する左板材３２を垂下設すると共に、右側端部から、側面が右壁１６の側面に接触する右板材３３を垂下設している。また、奥板材３１の上面に、サンバイザーＳに巻回して取付ける面ファスナー４１を取付けて構成している。
【００４９】
そして、ベース体３０の左板材３２および右板材３３の中央部分のそれぞれに第一凹凸部（突部）３４を設けると共に、ケース本体１１の左壁１５および右壁１６のそれぞれに第一凹凸部３４に回転自在に嵌合する第二凹凸部１９（凹部）を設けている。
【００５０】
本第四実施形態に係る光ディスクスタンド１は、運転席近傍の取付部に面ファスナー４１で固定することによって、運転者が運転しながらでも容易に取り出し等を行うことができる。また、ディスクケースＣを落下させることなく安定姿勢で立てることができる。なお、面ファスナー４１で固定するので、固定場所を容易に変更することができる。
【００５１】
また、第一凹凸部３４および第二凹凸部１９を回転自在に嵌合するように設けているので、ディスクケースＣを立てる際、および取り出す際にケース本体１１を回動させることができる。従って、ディスクケースＣの収納および取り出しを、より容易に行うことができる。
【００５２】
なお、ベース体３０の左板材３２および右板材３３のそれぞれに一つまたは複数の第一係合部３５を設けると共に、ケース本体１１の左片１７および右片１８のそれぞれに第一係合部３５に係合する一つまたは複数の第二係合部２０を設けることができる。これにより、任意の第一係合部３５と第二係合部２０を係合することによって、ケース本体１１を運転者に対応した傾斜姿勢に設定することができるので、ディスクケースＣの収納および取り出しを、より容易なものとすることができる。
【００５３】
なお、第一・第三・第四実施形態に係る光ディスクスタンド１は一枚のディスクケースＣを立てる大きさとしているが、本考案はこれに限定されるものではなく、複数のディスクケースＣを立てる大きさとすることもできる。また、両面接着テープ４０を備えた本考案に係る光ディスクスタンド１は、自動車の車内に固定する場合には、運転席前のダッシュボードＤのみでなく、助手席前のダッシュボードやその他の箇所に固定することができる。また、自動車の車内のみでなく、建物の室内等にも固定することができる。
【００５４】
また、面ファスナー４１を備えた本考案に係る光ディスクスタンド１は、自動車のサンバイザーＳのみでなく、自動車の車内や建物内などのあらゆる箇所に巻回して固定することができる。
【符号の説明】
【００５５】
１        光ディスクスタンド
１０      可動体
１１      ケース本体
１２      底壁
１３      前壁
１４      後壁
１５      左壁
１６      右壁
１７      左片
１８      右片
１９      第二凹凸部
２０      第二係合部
３０      ベース体
３１      奥板材
３２      左板材
３３      右板材
３４      第一凹凸部
３５      第一係合部
４０      両面接着テープ
４１      面ファスナー
４２      板バネ
５０      張出部
５１      底壁上部
５２      底壁下部
６０      基枠
６２      底壁部
６４      後壁部
６５      左壁部
６６      右壁部
６７      ガイド溝
６７ａ    前掛止孔
６７ｂ    後掛止孔
７０      移動体
７２      補助底
７５      左腕部
７６      右腕部
７７      掛止ピン
Ｃ        ディスクケース
Ｄ        ダッシュボード
Ｈ        ハンドル
Ｓ        サンバイザー
Ｔ        分割仮線
【図１】
0003152337.tif 000003
【図２】
0003152337.tif 000004
【図３】
0003152337.tif 000005
【図４】
0003152337.tif 000006
【図５】
0003152337.tif 000007
【図６】
0003152337.tif 000008
【図７】
0003152337.tif 000009
【図８】
0003152337.tif 000010
【図９】
0003152337.tif 000011
【図１０】
0003152337.tif 000012
【図１１】
0003152337.tif 000013
【図１２】
0003152337.tif 000014
【図１３】
0003152337.tif 000015
【図１４】
0003152337.tif 000016
【図１５】
0003152337.tif 000017
【図１６】
0003152337.tif 000018
【図１７】
0003152337.tif 000019
【図１８】
0003152337.tif 000020
【図１９】
0003152337.tif 000021
【図２０】
0003152337.tif 000022
【手続補正書】
【提出日】平成21年5月21日(2009.5.21)
【手続補正１】
【補正対象書類名】実用新案登録請求の範囲
【補正対象項目名】請求項４
【補正方法】変更
【補正の内容】
【請求項４】
自動車のダッシュボード（Ｄ）に両面接着テープ（４０）で固定することを特徴とする請求項１乃至３のいずれか一項に記載の光ディスクスタンド。